(57)【要約】【課題】電子部品などの生産品を生産するメーカー側に、前記生産品を実装するユーザー側の実機を持ち込み、前記実装した生産品の品質を評価する生産品の品質評価システム及びその装置を得ること。【解決手段】本発明の生産品の品質評価装置１は、メーカー生産場所に設置された入退室管理機能を備えた密室空間の構造物２内に、ユーザー側で実施する実機組み込みテスト装置３と、品質評価装置類４と、ユーザー側品質データ入力用ＰＣ５と、データベース用ＰＣ６とを備えて構成されていて、メーカーが生産した出荷生産品を前記実機に組み込んでその出荷生産品の品質評価を行い、その品質評価結果をネットワーク（図２）を用いて前記実機提供のユーザー及びメーカーの関係者に配信できるようにしたシステムである。【選択図】図１
2006146728.tif 000002
【特許請求の範囲】
【請求項１】
メーカー生産場所に設置された入退室管理機能を備えた密室空間内に、本来はユーザー側にて行う実機組み込み試験を含む品質評価装置を配設し、メーカーが生産した出荷生産品を前記実機に組み込んで該出荷生産品の品質評価を行い、該品質評価結果をネットワークを用いて前記実機提供のユーザー及びメーカーの関係者に配信できることを特徴とする生産品の品質評価システム。
【請求項２】
前記入退室管理機能を備えた密室空間はトレーラーハウス、組立式事務所などの容易に移動できる建築物であることを特徴とする請求項１に記載の生産品の品質評価システム。
【請求項３】
ユーザーの品質評価結果及び評価状況を前記機密保持空間内のコンピューターのデータベースに蓄積し、前記ネットワークを用いて前記メーカー及び前記ユーザー側の関係部所から閲覧できることを特徴とする請求項１に記載の生産品の品質評価システム。
【請求項４】
前記データベースにおける前記ユーザーの品質評価結果に前記メーカー及び前記ユーザーの各々の前記出荷生産品の出荷是非判断が入力でき、双方の判断が相違していた場合、前記メーカー側及び前記ユーザー側の関連部所にネットワーク情報として連絡がなされ、出荷品質の合意を形成することができることを特徴とする請求項３に記載の生産品の品質評価システム。
【請求項５】
メーカー生産場所に設置された入退室管理機能を備えた密室空間に、
ユーザー側で実施する実機組み込みテスト装置と、
品質評価装置類と、
ユーザー側品質データ入力用コンピューターと、
データベース用コンピューターと
を備えて構成されている生産品の品質評価装置。
【発明の詳細な説明】
【技術分野】
【０００１】
本発明は、電子部品などの生産品を生産するメーカー側に、前記生産品を実装するユーザー側の実機を持ち込み、前記実装した生産品の品質を評価する生産品の品質評価システム及びその装置に関するものである。
【背景技術】
【０００２】
以下の説明においては、生産品の一つとして電子部品を採り上げて説明する。電子部品の品質は、その電子部品を生産しているメーカーにおける品質評価項目と、その電子部品を使用するユーザー側での実機組み込み評価含む品質評価とでは、実機のインピーダンス特性やノイズ特性などによりその結果に相違が発生する場合がある。
【０００３】
メーカーにおける品質評価では良品であったが、ユーザー側の受け入れ後、実機である電子製品状態となってからはその電子部品が不良と判明され、市場からその電子製品を回収したり、生産済み電子製品の不良品の修理などで多大な損失が発生する場合があり、ユーザー側にとっては品質評価の精度向上と短時間での評価結果の判明が求められていた。
【０００４】
或る電子部品を組み込み、品質などを評価するための市販しようとする或る電子製品（以下、「実機ｋ」と記す）実機は、ユーザー側のセキュリティー上、その電子製品の発表前にはメーカー側に貸与すことはできない。
【０００５】
また、ユーザー側がメーカー側の生産現場にて出荷前に事前に品質評価の実施を希望しても、メーカー側は自社の機密保持の観点からユーザー側に社内評価インフラの使用をさせることができず、実現できなかった。
【特許文献１】特開昭８−２６８６０８号（第２頁、図２）
【発明の開示】
【発明が解決しようとする課題】
【０００６】
近年の商品サイクルの短縮化が進むマーケット状況では貸与可能期間は非常に限定され、その電子部品の品質評価におけるメーカー側とユーザー側での相違が恒常的に発生していた。
【０００７】
メーカー側にとっては生産プロセスを早期に改善し、その電子部品の生産性の向上を図るためにも、ユーザー側の品質情報をタイムリーに入手することは不可欠であるが、前略の理由により困難であった。
【０００８】
また、メーカー側の生産現場の敷地内に設置しても、メーカー側及びユーザー側双方の機密保持を実現できる品質評価システムは存在しなかった。
【０００９】
更に、メーカー側は電子部品の出荷時に品質データとして自社の品質データのみを基準としており、ユーザー側の事前評価データをも併せて判定基準とする品質評価情報システムも存在しなかった。
【００１０】
更にまた、メーカー側の出荷品質判断とユーザー側の事前品質判断とを整合し、その電子部品の出荷判断を行う出荷判断品質システムも存在しなかった。
【００１１】
本発明は、これらの課題を解決しようとするものであって、ユーザー側の生産品の品質評価結果をメーカー側に伝達し、その品質改善レスポンスを最短時間で実施できる生産品の品質評価システム及びその装置を得ることを目的とする。
【課題を解決するための手段】
【００１２】
それ故、本発明の生産品の品質評価システムは、メーカー生産場所に設置された入退室管理機能を備えた密室空間内に、本来はユーザー側にて行う実機組み込み試験を含む品質評価装置を配設し、メーカーが生産した出荷生産品を前記実機に組み込んで該出荷生産品の品質評価を行い、該品質評価結果をネットワークを用いて前記実機提供のユーザー及びメーカーの関係者に配信できることを特徴とする。
【００１３】
前記入退室管理機能を備えた密室空間はトレーラーハウス、組立式事務所などの容易に移動できる建築物であることが望ましい。
【００１４】
そして本発明の生産品の品質評価システムは、前記生産品の品質評価システムにおいて、ユーザーの品質評価結果及び評価状況を前記機密保持空間内のコンピューターのデータベースに蓄積し、前記ネットワークを用いて前記メーカー及び前記ユーザー側の関係部所から閲覧できることを特徴とす。
【００１５】
また、本発明の生産品の品質評価システムは、前記データベースにおける前記ユーザーの品質評価結果に前記メーカー及び前記ユーザーの各々の前記出荷生産品の出荷是非判断が入力でき、双方の判断が相違していた場合、前記メーカー側及び前記ユーザー側の関連部所にネットワーク情報として連絡がなされ、出荷品質の合意を形成することができることを特徴とする。
【００１６】
更にまた、本発明の生産品の品質評価装置は、メーカー生産場所に設置された入退室管理機能を備えた密室空間に、ユーザー側で実施する実機組み込みテスト装置と、品質評価装置類と、ユーザー側品質データ入力用コンピューターと、データベース用コンピューターとを備えて構成されている。
【００１７】
従って、本発明の生産品の品質評価システムによれば、メーカー側の生産現場の敷地内に設置しても、メーカー側の実機やユーザー側の生産プロセスなどの機密を保持することができる。
【００１８】
また、メーカー側にとっては生産プロセスを早期に改善し、その電子部品の生産性の向上を図ることができる。
【００１９】
更に、メーカー側はユーザー側の事前評価データを併せて判定基準とする品質評価情報システムを確立できる。
【００２０】
更にまた、メーカー側の出荷品質判断とユーザー側の事前品質判断とを整合し、その電子部品の出荷判断を行うことができる。
【発明の効果】
【００２１】
本発明の生産品の品質評価システム及びその装置によれば、
１．メーカー側の生産品の出荷判断において、自社判断とユーザー側の品質評価をも考慮  できるので、ユーザー側納入後に発生する不良品を事前に防止でき、不良品の回収や修  理などに掛かる不要なコストを削減することができる
２．従来は、生産品出荷からユーザー側で製品状態になり、ユーザー側での品質評価が判  明する一定期間、メーカーでは不良品を造り続ける可能性があったが、出荷段階でユー  ザー側の品質評価が判明することから早期に生産プロセスを改善することができ、生産  性の向上を図ることができる
３．ユーザー、メーカー両者の機密を保持した状態で、ユーザー側がメーカー側の生産現  場直近で生産品の品質評価ができるので、本生産品の品質評価システムの共同運用を実  現することができる
４．ネットワークで配備される品質データを基に、ユーザー、メーカー両者が出荷の是非  に関するコミュニケーションを行うことで、最適な出荷判断が可能となり、最良の出荷  品質を維持することができる
５．実機評価時点で製品状態になるため、そのまま市場に出荷でき、従って、メーカー側  からユーザー側まで輸送する梱包費を含めた物流費を削減することができる
など、数々の優れた効果が得られる。
【発明を実施するための最良の形態】
【００２２】
本発明の生産品の品質評価システム及びその装置は、メーカー生産場所に設置された入退室管理機能を備えた密室空間内に、本来はユーザー側にて行う実機組み込み試験を含む品質評価装置を配設し、メーカーが生産した出荷生産品を前記実機に組み込んで、その出荷生産品の品質評価を行い、その品質評価結果をネットワークを用いて前記実機提供のユーザー及びメーカーの関係者に配信できるものである。
【００２３】
以下、図を用いて、本発明の生産品の品質評価システム及びその装置の実施例を説明する。
【実施例１】
【００２４】
図１は本発明の一実施例の生産品の品質評価装置の構成を示す一部を破断した斜視図、図２はメーカー側とユーザー側とを結ぶネットワーク図、そして図３はデータベースに書き込まれるメーカー側のインプット内容とユーザー側のインプット内容の一例を示す表である。
【００２５】
なお、以下の説明において、「生産品」として、その一つである「電子部品」を採り上げて説明する。
【００２６】
図１において、符号１は本発明の生産品の品質評価装置（以下、単に「品質評価装置」と記す）を指す。この品質評価装置１は、構造物２、この構造物２内に配設されている実機組み込みテスト装置３、品質評価装置類４、ユーザー側品質データ入力用コンピューター（例えば、パーソナルコンピューター、以下「ＰＣ」と記す）５、データベース用コンピューター（例えば、パーソナルコンピューター、以下「ＰＣ」と記す）６、入退室監視装置７などを備えて構成されている。
【００２７】
この品質評価装置１は、電子部品などを製造するメーカー側の生産場所に設置され、構造物２としてはトレーラーハウス、組立式簡易事務所などの運搬が可能なものであって、出入り口のドア２Ａ部分には、入退室監視装置７が取り付けられていて入出者を管理する機能を持たせてある。入出者は機密を守ることを義務付けられた特定の作業者に限られる。
【００２８】
入退室監視装置７としては、例えば、特開２００１−２６６２０２に開示されているようなＩＤカード照合方式、特開２００４−１２４４９７に開示されているような指紋照合方式など個人識別が可能な装置であることが望ましい。
【００２９】
実機組み込みテスト装置３はユーザー側から提供された装置であって、メーカーで生産された生産品の一つである電子部品を実装し、その電子部品の品質を評価する装置である。
【００３０】
品質評価装置類４、ユーザー側品質データ入力用ＰＣ５及びデータベース用ＰＣ６は通常メーカー側で用意するが、これらはユーザー側のものと同等の品質評価ができることが肝要であり、そのためユーザー側から貸与されたものである場合もある。
【００３１】
次に、図２及び図３をも用いて、本品質評価装置１の機能を説明する。
【００３２】
機密エリアである構造物２内のユーザー側品質データ入力用ＰＣ５は、図２に示したネットワーク中のユーザー側品質データ入力用ＰＣ５が備えられ、実施された電子部品の品質評価のデータが入力される。
【００３３】
メーカーが出荷前の対象ロットの電子部品を実機に実装し、実機組み込みテストを含んだ品質評価をメーカー生産現場の敷地内にて実施でき、ユーザー側品質データー入力用ＰＣ５にて品質データがインプットされ、ネットワークを通じ配信される。品質データはデータベース用ＰＣ６に蓄積され、閲覧が可能となる。
【００３４】
メーカーにおける出荷前の電子部品の品質評価データはメーカ側品質データ用コンピューター（例えば、パーソナルコンピューター、以下「ＰＣ」と記す）８にて入力され、データベース用ＰＣ６に蓄積され、配信される。
【００３５】
メーカー側の品質判断者はメーカー側品質評価用コンピューター（例えば、パーソナルコンピューター、以下「ＰＣ」と記す）９、ユーザー側の品質判断者はユーザー側品質判断用コンピューター（例えば、パーソナルコンピューター、以下「ＰＣ」と記す）１０を用い、データベース用ＰＣ６内の品質データを基に出荷是非の判断を行い、その判断を各ＰＣにてデータベース用ＰＣ６に入力する。
【００３６】
データベース用ＰＣ６には、メーカー側インプット内容では、例えば、図３に示したように、ロットＮｏ．２０で括られた品質データが格納され、生産日２１、出荷予定日２２、メーカー側品質評価項目２３、メーカー側出荷判断２４、コメント２５が含まれ、ユーザー側インプット内容には、ロットＮｏ．２０で括られた品質データが格納され、生産日２１、出荷予定日２２、ユーザー側品質評価項目２６、ユーザー側出荷判断２７、コメント２８が含まれる。
【００３７】
メーカー側品質評価項目２３はメーカーが実施した品質評価で、メーカー側の出荷判断者はこれらを元に出荷判断を下し、その判断をメーカー側出荷判断２４に入力する。
【００３８】
ユーザー側品質評価項目２６はユーザー側がメーカーの生産現場にて実施した品質評価で、ユーザー側の出荷判断者はこれらを基にに出荷判断を下し、その判断をユーザー側出荷判断２７に入力する。
【００３９】
メーカー側出荷判断２４及びユーザー側出荷判断２７はネットワークにて関連部署に配備され、両者の出荷判断が同一の場合、例えば、青色で表示され、相違する場合、例えば、赤色で点滅させ、出荷判断者の注意を促すようにすることが可能である。
【００４０】
出荷判断者、関連部署はメーカー側のコメント２５、ユーザー側のコメント２８にてコミュニケーションを取ることができ、出荷判断における合意を早期に形成することができることになる。
【産業上の利用可能性】
【００４１】
本発明は電子・電気部品、機械器具部品などの部品メーカーと、それらの部品を使用し、電子・電気装置、機械器具装置などを製造する機器メーカー（ユーザー）との間に導入し、利用することができる。また、化学素材メーカーとそれらを利用する化学製品メーカー（ユーザー）との間などにも導入し、利用することもできる。
【図面の簡単な説明】
【００４２】
【図１】本発明の一実施例の生産品の品質評価装置の構成を示す一部を破断した斜視図である。
【図２】メーカー側とユーザー側とを結ぶネットワーク図である。
【図３】データベースに書き込まれるメーカー側のインプット内容とユーザー側のインプット内容の一例を示す表である。
【符号の説明】
【００４３】
１…本発明の一実施例の生産品の品質評価装置、２…構造物、２Ａ…出入り口のドア、３…実機組み込みテスト装置、４…品質評価装置類、５…ユーザー側品質データー入力用ＰＣ（コンピューター）、６…データベース用ＰＣ（コンピューター）、７…入退室監視装置、８…メーカー側品データ入力用ＰＣ、９…メーカー側品質評価用ＰＣ、１０…ユーザー側品質評価用ＰＣ
【図１】
2006146728.tif 000003
【図２】
2006146728.tif 000004
【図３】
2006146728.tif 000005